(57)【要約】【課題】コンパクトで消費電力を低下させるとともに広告表示の光の均整度を向上できる内照式広告用看板を提供すること。【解決手段】広告用看板１は、前面に表示板５を装着した筐体状のフレーム２と、フレーム２内に配置される導光板３と、導光板３の上方位置に配置して導光板３に向かって光を照射するＬＥＤ光源４と、を備えている。導光板３は、上部２隅をネジ止めしてフレーム２に吊り下げられ、厚み方向に指挿通孔３２を形成している。ＬＥＤ４は、導光板３の上方で、導光板３の長手方向に沿って形成するコ字状のＬＥＤ支持部材１１に多数配置することにより、ユニット化されたＬＥＤ基板４Ａとして形成する。導光板３に形成した取り付け孔３１及び指挿通孔３２には、光の入射側内周面の一部、１８０〜６０°の範囲で光漏れ防止用反射シート１０を貼着する。【選択図】図１
2011209623.tif 000002
【特許請求の範囲】
【請求項１】
前面に表示板が配設された筐体状のフレームケースと、前記フレームケース内に配設された矩形板状の導光板と、前記導光板の一方側から光を入射するＬＥＤ光源と、を備え、前記導光板には前記ＬＥＤ光源から入射された光を反射又は拡散するシート部材が貼着された内照式広告用看板であって、
前記導光板には、前記フレームケース内で前記導光板を吊り下げるための取り付け孔や指を挿通するための指挿通孔が形成され、前記取り付け孔又は前記指挿通孔には前記ＬＥＤ光源から入射される光の入射側面の一部に、光漏れ防止用反射手段が配設されていることを特徴とする内照式広告用看板。
【請求項２】
前記光漏れ防止用反射手段が、前記取り付け孔や前記指挿通孔における前記ＬＥＤ光源からの入射側面の入射角度に対して６０〜１８０°の範囲内に貼着された光漏れ防止用反射シートであることを特徴とする請求項１記載の内照式広告用看板。
【請求項３】
前記ＬＥＤ光源は、前記導光板の上方の位置に配設されて、前記導光板の上面から下方に向かって入射されていることを特徴とする請求項１又は２記載の内照式広告用看板。
【請求項４】
前記導光板における、前記表示板側の面には拡散シートが貼着され、その反対側の面及び下面側には反射シートが貼着されていることを特徴とする請求項１，２又は３のいずれかに記載の内照式広告用看板。
【発明の詳細な説明】
【技術分野】
【０００１】
本発明は、内照式広告用看板に関し、さらには、ＬＥＤ光源の照射により案内表示を行う内照式広告用看板に関する。
【背景技術】
【０００２】
従来、内照式広告用看板として特許文献１に示されているものがある。これによると、従来では会社名又は宣伝広告等をパネル表示するために、内側あるいは外側からの電球による光線投射のような照明効果を狙ったものがあり、このような内照式広告用看板では、夜間使用での光源の温度上昇や消耗による電球等の交換が伴い、消費電力が高くなるという課題があった。そのために、ＬＥＤ光源を使用し、ＬＥＤ光源による内照式広告表示体を構成することによって消費電力の嵩張りを防止するとともに長寿命化を図ろうとするものである。つまり、この特許文献１の一実施形態として開示されている広告表示体は、前面に広告表示板を装着した立体広告体内に、矩形板状の導光板を挿入し、導光板の上方にＬＥＤ光源を配置させて構成している。導光板の前面、背面、下面には反射シートを貼着し、上方のＬＥＤ光源から入射される光を反射シートで反射させて、広告表示板の表示を照射させるようにしていた。
【０００３】
これにより、コンパクトな構成でＬＥＤ光源による独特な照明及び長寿命化等の効果を達成できることとなっていた。
【先行技術文献】
【特許文献】
【０００４】
【特許文献１】特開２００１−１４２４１７公報
【発明の概要】
【発明が解決しようとする課題】
【０００５】
しかし、導光板が従来に比べて大きな矩形板状に形成されると、導光板は撓みやすくなる。撓むことによって、表示板と導光板との距離が不均等になるから表示面に照射する光の均整度を低下させてしまう。撓みの弊害は、さらに、ＬＥＤ基板の破壊に繋がるとともに、アクリル製の基板が、一旦、撓むと元に戻りにくい事から、撓みを少なくして配置させる必要があった。
【０００６】
このため、導光板を撓まないようにする一つの方法として、自然重力にしたがって導光板を吊り下げる方法がある。導光板を吊り下げるためには、導光板の上部に孔をあけてボルトを貫通させる必要がある。また、そのフレームケースの背面に電源スイッチ等を配置したものであっては、その電源スイッチを操作するために、導光板に指を挿通する孔をあける必要がある。
【０００７】
導光板に孔をあけることによって、ＬＥＤ光源から入射した光が孔の中に入り、光漏れとなって現れることになる。孔から漏れた光は、導光板の光の均整度を著しく阻害する要因となり、表示面への光斑となって現れる。
【０００８】
また、一般に透明部材に光を入射する際、導光板に加工された部位があると、その部位から屈折して光の方向を切り換えることが周知事項として知られている。したがって入射された光が加工された孔に到達すると方向が切り換わることになっていた。そのため、表示板に照射する光のバランスを崩すものとなるばかりでなく、撓みよって各方向に分散する可能性があった。したがって、表示内容の一部が明るく別の一部が暗くなって表示板の照射バランスを低下させる要因となっていた。
【課題を解決するための手段】
【０００９】
本発明は、上述の課題を解決するものであり、導光板に入射した光が孔の中に入ることを防止することにより、表示板に照射する光のバランスを崩さないで光の均整度を向上できる内照式広告用看板を提供することを目的とする。
【００１０】
そのために本発明に係る内照式広告用看板は、以下のように構成するものである。すなわち、
請求項１記載の発明では、前面に表示板が配設された筐体状のフレームケースと、前記フレームケース内に配設された矩形板状の導光板と、前記導光板の一方側から光を入射するＬＥＤ光源と、を備え、前記導光板には前記ＬＥＤ光源から入射された光を反射又は拡散するシート部材が貼着された内照式広告用看板であって、前記導光板には、前記フレームケース内で前記導光板を吊り下げるための取り付け孔や指を挿通するための指挿通孔が形成され、前記取り付け孔又は前記指挿通孔には前記ＬＥＤ光源から入射される光の入射側面の一部に、光漏れ防止用反射手段が配設されていることを特徴とするものである。
【００１１】
請求項２記載の発明は、請求項１の発明に係るものであって、前記光漏れ防止用反射手段が、前記取り付け孔や前記指挿通孔における前記ＬＥＤ光源からの入射側面の入射角度に対して６０〜１８０°の範囲内に貼着された光漏れ防止用反射シートであることを特徴としている。
【００１２】
請求項３の発明は、請求項１又は２に係るものであって、前記ＬＥＤ光源は、前記導光板の上方の位置に配設されて、前記導光板の上面から下方に向かって入射されていることを特徴としている。
【００１３】
請求項４の発明は、請求項１，２，３のいずれかの発明に係るものであって、前記導光板における、前記表示板側の面には拡散シートが貼着され、その反対側の面及び下面側には反射シートが貼着されていることを特徴としている。
【発明の効果】
【００１４】
請求項１の発明の内照式広告用看板によれば、導光板をフレームケース内で吊り下げることにより、導光板の撓みを少なくするとともに、ＬＥＤ光源を内部に配設し、導光板を介して表示板を照射させるように構成されている。ＬＥＤ光源から導光板に入射した光は、導光板内を、直進あるいは屈折、反射しながら均整度を保ち散乱する。導光板に形成された上記のそれぞれの孔の内周面には、ＬＥＤ光源の入射側面の一部に光漏れ防止用反射手段を設けていることから、遮光された部位においてはＬＥＤ光源の強い光を遮断し、取り付け孔や指挿通孔の内部には到達させない。また、遮光されていない部位においては、上記のそれぞれの孔の内側に漏れ光を反射する。これにより、それぞれの孔の内側に適切な交配光を生じ、導光板とそれぞれの孔の照度差を緩和することができる。したがって、導光板の撓みを少なくすることで、導光板の表示板からの距離を小さくすることができるとともに、導光板に形成した上記のそれぞれの孔の入射側面の一部に光漏れ防止用反射手段を設けることにより、表示板に照射する光の均整度を向上することができる。
【００１５】
請求項２の発明によれば、光漏れ防止用反射手段が、導光板を吊り下げる取り付け孔や指挿通孔における前記ＬＥＤ光源からの入射側面の入射角度に対して６０〜１８０°の範囲内に貼着された光漏れ防止用反射シートであるから、上記のそれぞれの孔に向かって入射された光は、光漏れ防止用反射シートの入射側中心位置に対して６０〜１８０°の範囲内で反射することになる。遮光された部位においてはＬＥＤ光源の強い光を遮断し、上記のそれぞれの孔の内部には到達させない。また、遮光されていない部位においては、弱い漏れ光を上記のそれぞれの孔の内側に反射する。これにより、それぞれの孔の内側に適切な交配光を生じ、導光板と上記のそれぞれの孔の照度差を緩和することができ、請求項１と同様の効果を達成することができる。
【００１６】
また、請求項３の発明によれば、ＬＥＤ光源が、導光板の上方に配設されているから、光漏れ防止用反射シートに衝突した強い光は、上方からの入射角度に対して６０〜１８０°の範囲内で上方又は側方に向かって反射して、上記のそれぞれの孔の中に入ることを遮断され、６０〜１８０°の範囲外の遮光されていない面から弱い漏れ光をそれぞれの孔の中に反射するから、請求項１又は２と同様の効果を達成することができる。
【００１７】
請求項４の発明によれば、導光板における、表示板側の面には拡散シートが貼着され、その反対側の面及び下面側には反射シートが貼着されているから、導光板の上方から入射された光は、導光板の孔以外の部位を通って導光板の背面側に貼着された反射シート及び導光板の底面に貼着された反射シートで反射され、導光板の前面側に貼着された拡散シートにより拡散されて表示板全体の案内表示を、光の均整度を低下させることなく照射することできる。
【図面の簡単な説明】
【００１８】
【図１】本発明の一形態による広告看板を示す正面一部断面図である。
【図２】図１における側面断面図である。
【図３】（ａ）孔に反射シートを１８０°の範囲で貼着した状態を示す図であり、（ｂ）孔に反射シートを６０°の範囲で貼着した状態を示す図である。
【図４】図２における上部拡大断面図である
【図５】図２における下部拡大断面図である。
【発明を実施するための形態】
【００１９】
次に本発明の内照式広告用看板の実施形態を図面に基づいて説明する。
【００２０】
実施形態の内照式広告用看板は、従来の看板より大型に形成されるとともに、筐体状のフレームケース内に配置された矩形板状の導光板には、加工された孔が形成されているものであって、複数のＬＥＤ光源をユニット化したＬＥＤ基板を内部に配置した内照式に構成されている。
【００２１】
図１は、内照式広告用看板（以下、単に広告用看板という。）１の正面一部断面を示すものであり、図２は、その側面断面を示すものである。広告用看板１は、前面側が開口された筐体状のフレームケース（以下、単にフレームという。）２と、フレーム２内に配置された導光板３と、導光板３の上方に位置する複数のＬＥＤ光源（以下、単にＬＥＤという。）４と、を備えている。
【００２２】
フレーム２の開口された前面側には、アクリル製の表示板５が、フレーム２の開口部を覆うように装着されている。表示板５には、広告するための会社名や広告文字あるいは図形等が描かれている。
【００２３】
導光板３は、光を透過するために透明あるいは半透明からなる材料で矩形板状に形成され、フレーム２の内部に吊り下げられた状態で装着されている。導光板３には、上下４隅又は上下各３箇所に取り付け孔３１（図１参照）が形成されている。上部の２箇所又は１箇所の取り付け孔３１に図示しないボルトを挿通してフレーム２に螺着することにより導光板３が吊り下げられている。導光板３の背面及び底面には、反射シート６、７（図２参照）が貼着され、導光板３の前面には拡散シート８（図２参照）が貼着されている。反射シート６、７は、例えば、遮光性を有したライトエンハンストフィルム（３Ｍ社製）で形成され、拡散シート８は、透過性を有した光拡散・ディフーザーフィルム（３Ｍ社製）で形成されている。また、導光板３には、下部にフレーム２に装着された押し釦スイッチ９を操作するための指挿通孔３２が形成されている。
【００２４】
図３に示すように、取り付け孔３１及び指挿通孔３２の内周面の上面側には、それぞれ光漏れ防止用反射シート１０、１０が貼着されている。取り付け孔３１は丸孔あるいは長孔であってもよく、また指挿通孔３２は丸孔で形成されている。取り付け孔３１や指挿通孔３２の各孔に貼着された光漏れ防止用反射シート１０、１０は、いずれも内周面の上面側から入射する入射角度、つまりＬＥＤ４から取り付け孔３１又は指挿通孔３２の中心位置に向かう光軸に対してＬＥＤ４の入射側内周面に左右９０°ずつ、全１８０°（図３（ａ））で取り付けられている。この光漏れ防止用反射シート１０は、内周面の上面側から入射する入射角度に対して左右３０度ずつ、全６０°（図３（ｂ））で取り付けるようにしてもよく、つまり、１８０°〜６０°の範囲内で形成されていることが望ましい。光漏れ防止用反射シート１０は、導光板３の背面に貼着された反射シート６や前面に貼着された同様の材料、例えば、上述のライトエンハンストフィルム（３Ｍ社製）で形成されている。
【００２５】
なお、光漏れ防止用反射シート１０の代わりに、取り付け孔３１や指挿通孔３２の一部に白色ペイントを塗布したり、白色プラスチック複合成形をしたりして形成しても同等の効果を有することができる。
【００２６】
図４に示すように、ＬＥＤ４は、導光板３の上方の位置で、フレーム２に支持されて下方が開口されたコ字状のＬＥＤ支持部材１１に、導光板３の長手方向に沿って多数装着されてＬＥＤ基板４Ａとしてユニット化されている。つまり、個々のＬＥＤ４は、その底面（図４においては上面に相当する。）４ａが、コ字状に形成されたＬＥＤ支持部材１１の底面１１ａ（図４においては上面に相当する。）に図示しない両面テープで貼着されている。
【００２７】
また、ＬＥＤ支持部材１１は、その内側面１１ｂに、図示しない両面テープを貼着して導光板３の上部背面３ａと上部前面３ｂに、反射シート６と拡散シート８を介して貼着されている。これにより、ＬＥＤ基板４Ａは、フレーム２に支持された導光板３に支持されていることになる。
【００２８】
図５に示すように、導光板３の下部に形成された指挿通孔３２は、フレーム２の背面下部に装着された押し釦スイッチ９に指を挿通するために、例えば、一般の成人男子の指の太さより大きい孔（例えば、Φ２５以上）に形成されている。通常、Φ２５以上の指挿通孔３２をあけると導光板３の光均整度を失うことになり導光板３と表示板５との距離を大きく（例えば、２５ｍｍ以上）しなければならない。しかし、導光板３を吊り下げるように配置して撓みを少なくし、指挿通孔３２に光漏れ防止用反射シート１０を貼着することにより、導光板３と表示板５との距離を小さく（例えば、１０〜１５ｍｍ程度）することができ、広告用看板１の厚みの増大を抑制することができる。また、この押し釦スイッチ９を操作する場合には、フレーム２前面側の表示板５を開けた状態で、指を前面より指挿通孔３２に挿通させて行う。
【００２９】
次に、上述のように構成された広告用看板１の表示板５の表示内容を表示する作用について説明する。
【００３０】
図１に示すように、導光板３の上方位置に配置されたＬＥＤ４は、電源が投入されると光を導光板３の上方から導光板３の上面に直下する方向に入射する。導光板３の上面から下方に向かって入射されたＬＥＤ４の光は、透明又は半透明の導光板３を通って、背面側に貼着された反射シート６、底面側に貼着された反射シート７で反射されて前面側に向かう。前面側に向かった光は拡散シート８で拡散されて表示板５全面を照射する。
【００３１】
一方、ＬＥＤ４から入射された強い光が、導光板３内を通り、取り付け孔３１や指挿通孔３２に到達すると、強い光は、光漏れ防止用反射シート１０で反射されて取り付け孔３１や指挿通孔３２内に入るのを遮断され、遮光されていない面からの比較的弱い漏れ光を、取り付け孔３１や指挿通孔３２の内側に反射する。これにより、取り付け孔３１や指挿通孔３２の内側に適切な光配光を生じて導光板と孔の照度差を緩和することになる。
【００３２】
なお、ＬＥＤ支持部材１１にＬＥＤ４を装着したＬＥＤ基板４Ａを導光板３の上方ではなく、側方や下方に配置してもよい。例えば、ＬＥＤ基板４Ａを導光板３の側方に配置した場合、導光板３の入射側の側面と反対側の側面に反射シート６を貼着することになり、また、下方に配置した場合、導光板３の上面に反射シート７を貼着することになる。この際、光漏れ防止用反射シート１０は、導光板３に所定角度で入射する光に対して、あけられた取り付け孔３１、又は指挿通孔３２の入射側内周面における一部の面に光漏れ防止用反射シート１０を貼着する。つまり、表示板５の正面視、導光板３の右側にＬＥＤ基板４Ａが配置されて、導光板３の右側から光が入射すれば、光漏れ防止用反射シート１０は、取り付け孔３１又は指挿通孔３２の右側内周面の一部に貼着されることになる。ＬＥＤ基板４Ａが導光板３の左側に配置されていれば、光漏れ防止用反射シート１０は、取り付け孔３１又は指挿通孔３２の左側の内周面の一部に貼着されることになる。さらに、ＬＥＤ基板４Ａが導光板３の下方に設置されていれば、光漏れ防止用反射シート１０は、取り付け孔３１又は指挿通孔３２の下側の内周面の一部に貼着されることになる。
【００３３】
上述のように、実施形態の内照式広告用看板１は、導光板３を吊り下げるようにして撓みを少なくした状態で配置し、導光板３に形成した取り付け孔３１や指挿通孔３２における、ＬＥＤ４から照射される光の入射側の内周面の一部（入射角度に対して１８０°〜６０°の範囲内）に光漏れ防止用反射シート１０を貼着するから、導光板３に入射した強い光は取り付け孔３１や指挿通孔３２内にはいることを遮断されて、遮光されていない面からの弱い光がそれぞれの孔の内部に反射することから導光板３と取り付け孔３１や指挿通孔３２の照度差を緩和できる。そのため、表示板５の表示面と導光板３との距離を小さくして、表示板５に照射する光の均整度を向上することができる。
【符号の説明】
【００３４】
１、広告用看板
２、フレーム（フレームケース）
３、導光板
４、ＬＥＤ（ＬＥＤ光源）
５、表示板
６、反射シート
７、反射シート
８、拡散シート
１０、光漏れ防止用反射シール
【図１】
2011209623.tif 000003
【図２】
2011209623.tif 000004
【図３】
2011209623.tif 000005
【図４】
2011209623.tif 000006
【図５】
2011209623.tif 000007